【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群からなり、ズーミングに際して隣り合うレンズ群の間隔が変化するズームレンズであって、
前記第１レンズ群は１枚の負レンズと１枚の正レンズからなり、広角端における光学全長をＬＤｗ、望遠端における光学全長をＬＤｔ、前記第１レンズ群の焦点距離をｆ１、前記第２レンズ群の焦点距離をｆ２、前記第４レンズ群の焦点距離をｆ４とするとき、
０．１０＜（ＬＤｔ−ＬＤｗ）／ｆ１＜０．３１
０．７０＜ｆ２／ｆ４＜１．２０
なる条件式を満足することを特徴とするズームレンズ。
【請求項２】
前記第４レンズ群は非球面形状のレンズ面を含む負レンズを有し、該負レンズの物体側のレンズ面の曲率半径をＲ４ｏ、像側のレンズ面の曲率半径をＲ４ｉとするとき、
−２．０＜（Ｒ４ｉ＋Ｒ４ｏ）／（Ｒ４ｉ−Ｒ４ｏ）＜−０．３
なる条件式を満足することを特徴とする請求項１に記載のズームレンズ。
【請求項３】
広角端における全系の焦点距離をｆｗとするとき、
１０．５＜ｆ１／ｆｗ＜１５．０
なる条件式を満足することを特徴とする請求項１または２に記載のズームレンズ。
【請求項４】
前記第１レンズ群に含まれる正レンズの焦点距離をｆ１ｐとするとき、
０．３５＜ｆ１ｐ／ｆ１＜０．６０
なる条件式を満足することを特徴とする請求項１乃至３のいずれか１項に記載のズームレンズ。
【請求項５】
広角端から望遠端へのズーミングに際して、前記第１レンズ群は像側に凸状の軌跡で移動し、前記第２レンズ群は像側へ移動し、前記第３レンズ群と前記第４レンズ群は物体側へ移動することを特徴とする請求項１乃至４のいずれか１項に記載のズームレンズ。
【請求項６】
広角端から望遠端へのズーミングに際して、前記第５レンズ群は物体側に凸状の軌跡で移動することを特徴とする請求項１乃至５のいずれか１項に記載のズームレンズ。
【請求項７】
請求項１乃至６のいずれか１項に記載のズームレンズと、該ズームレンズによって形成される像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群からなり、ズーミングに際して隣り合うレンズ群の間隔が変化するズームレンズであって、
前記第１レンズ群は１枚の負レンズと１枚の正レンズからなり、広角端における光学全長をＬＤｗ、望遠端における光学全長をＬＤｔ、前記第１レンズ群の焦点距離をｆ１、前記第２レンズ群の焦点距離をｆ２、前記第４レンズ群の焦点距離をｆ４とするとき、
０．１０＜（ＬＤｔ−ＬＤｗ）／ｆ１＜０．３１
０．７０＜ｆ２／ｆ４＜１．２０
なる条件式を満足することを特徴としている。
【手続補正３】
【補正対象書類名】明細書
【補正対象項目名】００１２
【補正方法】変更
【補正の内容】
【００１２】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成されている。ズーミングに際して、隣り合うレンズ群の間隔が変化する。
【手続補正４】
【補正対象書類名】明細書
【補正対象項目名】００３５
【補正方法】変更
【補正の内容】
【００３５】
第４レンズ群Ｌ４は非球面形状のレンズ面を含む負レンズを有し、該負レンズの物体側のレンズ面の曲率半径をＲ４ｏ、像側のレンズ面の曲率半径をＲ４ｉとする。広角端における全系の焦点距離をｆｗとする。第１レンズ群内の正レンズの焦点距離をｆ１ｐとする。このとき、以下の条件式のうち１以上を満足するのが良い。
【手続補正５】
【補正対象書類名】明細書
【補正対象項目名】００３８
【補正方法】変更
【補正の内容】
【００３８】
条件式（３）は第４レンズ群Ｌ４内の非球面形状のレンズ面を有する負レンズのレンズ形状（近軸形状）を規定したものである。条件式（３）の上限値を超えて、非球面形状のレンズ面を有する負レンズの物体側の面の屈折力が強くなると第４レンズ群Ｌ４の後側主点が物体側に移動し、第５レンズ群Ｌ５の有効径が増大してくる。
【手続補正６】
【補正対象書類名】明細書
【補正対象項目名】００３９
【補正方法】変更
【補正の内容】
【００３９】
また、非球面形状のレンズ面を有する負レンズの物体側に色消しの為の正レンズを接合する場合、非球面形状のレンズ面を有する負レンズの物体側の面の屈折力が強くなると正レンズのレンズ厚が厚くなり、鏡筒が沈胴した際のレンズ全長が長くなってしまう。逆に下限値を超えて、非球面形状のレンズ面を有する負レンズの像側の面の屈折力が強くなると、特に中間焦点距離においてコマ収差が多く発生し、これを良好に補正する事が困難となる。
【手続補正７】
【補正対象書類名】明細書
【補正対象項目名】００５１
【補正方法】変更
【補正の内容】
【００５１】
［数値実施例１］
単位 mm
面データ
面番号       r        d      nd         νd
1         40.493    1.20   1.80000    29.8           
2         23.970    3.83   1.71300    53.9           
3        257.458  (可変)                             
4         33.412    0.90   1.88300    40.8           
5          8.388    5.00                             
6        -29.583    0.90   1.80400    46.6           
7         23.914    0.49                             
8         18.501    2.13   1.92286    18.9           
9        177.794  (可変)                             
10(絞り)    ∞     (可変)                             
11*        13.810    2.58   1.76802    49.2           
12*      -118.119    1.11                             
13         11.867    2.70   1.59282    68.6           
14        -30.515    0.29                             
15         66.678    0.90   2.00069    25.5           
16          7.801    0.53                             
17         13.118    2.17   1.51823    58.9           
18        -20.350  (可変)                             
19        134.738    0.90   1.58313    59.4           
20*         7.126  (可変)                             
21         63.675    2.24   1.85135    40.1           
22*       -18.192    3.58                             
23          ∞       1.10   1.51633    64.1           
24          ∞       1.00 
像面        ∞   
非球面データ
第11面
K  =-2.99830e-001  A 4=-5.03231e-005  A 6=-8.63739e-008 
A 8=-1.32651e-008  A10= 5.94352e-011  
第12面
K  = 1.19287e+002  A 4= 1.00585e-004  A 6= 1.58433e-007 
A 8=-1.50149e-008  A10= 1.93437e-010  
第20面
K  = 2.83989e-001  A 4= 1.77690e-004  A 6= 2.12750e-006 
A 8=-3.41549e-007  A10= 2.91120e-009  
第22面
K  = 6.21632e+000  A 4= 4.88902e-005  A 6= 5.83675e-007 
A 8= 5.33089e-009  A10= 1.18864e-009  
各種データ
ズーム比      4.86 
広角     中間     望遠
焦点距離       6.22    17.59    30.25  
Fナンバー      2.06     3.20     3.60  
半画角（度）  36.75    14.80     8.74  
像高           4.65     4.65     4.65  
レンズ全長    66.30    67.88    75.85  
BF             5.31     5.31     5.31  
d 3            0.34    13.70    23.77  
d 9           17.43     6.43     1.67  
d10            8.90     2.27     2.15  
d18            2.03     5.54     8.10  
d20            4.40     6.76     6.97  
ズームレンズ群データ
群  始面    焦点距離  
1    1      73.85  
2    4     -10.42  
3   10       ∞    
4   11      11.71  
5   19     -12.94  
6   21      16.83  
7   23       ∞    
【手続補正８】
【補正対象書類名】明細書
【補正対象項目名】００５２
【補正方法】変更
【補正の内容】
【００５２】
［数値実施例２］
単位 mm
面データ
面番号       r        d      nd         νd
1         40.066    1.20   1.90366    31.3           
2         23.509    4.53   1.71300    53.9           
3        744.323  (可変)                             
4         61.726    0.90   1.88300    40.8           
5          9.649    5.31                             
6        -31.049    0.90   1.69680    55.5           
7         32.766    0.09                             
8         19.600    2.13   1.92286    18.9           
9         82.668  (可変)                             
10(絞り)    ∞     (可変)                             
11*        10.517    2.71   1.75501    51.2           
12*       -62.782    2.00                             
13         30.426    0.90   1.84666    23.9           
14          8.356    0.26                             
15         10.969    2.32   1.49700    81.5           
16        -17.200  (可変)                             
17         67.802    1.03   1.84666    23.9           
18        -20.590    0.90   1.83441    37.3           
19*         7.689  (可変)                             
20         38.797    2.69   1.76802    49.2           
21*       -16.181    3.34                             
22          ∞       1.10   1.51633    64.1           
23          ∞       1.00 
像面        ∞   
非球面データ
第11面
K  =-9.13254e-001  A 4= 3.28751e-005  A 6= 3.81751e-007 
A 8=-1.31646e-009  
第12面
K =-3.69985e+001  A 4= 9.67476e-005  A 6=-3.13787e-007  
第19面
K  = 6.33550e-002  A 4= 1.16664e-004  A 6= 2.33683e-006 
A 8=-5.91286e-007  A10= 5.92312e-008  A12=-2.08174e-009  
第21面
K  = 3.03390e+000  A 4= 1.30432e-004  A 6=-4.15618e-007 
A 8= 3.10928e-008  
各種データ
ズーム比      9.75 
広角     中間     望遠
焦点距離       6.22    31.75    60.71  
Fナンバー      2.47     4.26     4.64  
半画角（度）  36.75     8.33     4.38  
像高           4.65     4.65     4.65  
レンズ全長    77.94    83.06    93.14  
BF             5.07     5.07     5.07  
d 3            0.33    23.65    36.77  
d 9           28.09     5.98     1.72  
d10            8.35     2.26     1.76  
d16            2.97     6.95     7.95  
d19            5.27    11.29    12.01  
ズームレンズ群データ
群  始面    焦点距離  
1    1      73.25  
2    4     -11.49  
3   10       ∞    
4   11      12.37  
5   17     -10.64  
6   20      15.19  
7   22       ∞    
【手続補正９】
【補正対象書類名】明細書
【補正対象項目名】００５３
【補正方法】変更
【補正の内容】
【００５３】
［数値実施例３］
単位 mm
面データ
面番号       r        d      nd         νd
1         36.806    1.20   2.00069    25.5           
2         23.555    4.53   1.74400    44.8           
3        265.388  (可変)                             
4         46.190    0.90   1.88300    40.8           
5          8.663    5.15                             
6*       -28.621    0.90   1.77377    47.2           
7         18.367    0.70                             
8         18.108    2.18   1.92286    18.9           
9        195.341  (可変)                             
10(絞り)    ∞     (可変)                             
11*        10.337    2.45   1.72903    54.0           
12*       -46.630    2.25                             
13         30.255    0.90   1.84666    23.9           
14          8.056    0.18                             
15          9.991    2.27   1.49700    81.5           
16        -16.682  (可変)                             
17         37.143    1.09   1.84666    23.9           
18        -21.209    0.90   1.83441    37.3           
19*         7.667  (可変)                             
20         54.866    2.86   1.72903    54.0           
21*       -12.831    3.21                             
22          ∞       1.10   1.51633    64.1           
23          ∞       1.00 
像面        ∞   
非球面データ
第6面
K  =-3.57187e+000  A 4= 1.59999e-006  A 6= 8.04718e-008 
A 8=-1.56727e-009  
第11面
K  =-1.03192e+000  A 4= 3.68039e-005  A 6= 6.21886e-007 
A 8=-3.26861e-009  
第12面
K =-4.53558e+000  A 4= 1.18443e-004  A 6=-2.66897e-007  
第19面
K  =-8.59779e-001  A 4= 4.34148e-004  A 6= 2.56536e-006 
A 8= 5.65556e-008  
第21面
K  = 1.30898e+000  A 4= 1.80996e-004  A 6=-8.31667e-007 
A 8= 3.05369e-008  
各種データ
ズーム比      9.75 
広角     中間     望遠
焦点距離       5.31    27.08    51.77  
Fナンバー      2.47     4.35     4.94  
半画角（度）  41.20     9.74     5.13  
像高           4.65     4.65     4.65  
レンズ全長    71.60    82.93    93.14  
BF             4.94     4.94     4.94  
d 3            0.33    23.82    35.39  
d 9           21.80     5.27     1.65  
d10            8.43     2.21     1.71  
d16            2.39     7.00     9.12  
d19            5.25    11.23    11.87  
ズームレンズ群データ
群  始面    焦点距離  
1    1      72.30  
2    4      -9.20  
3   10       ∞    
4   11      11.90  
5   17     -12.08  
6   20      14.52  
7   22       ∞    
【手続補正１０】
【補正対象書類名】明細書
【補正対象項目名】００５４
【補正方法】変更
【補正の内容】
【００５４】
［数値実施例４］
単位 mm
面データ
面番号       r        d      nd         νd
1         41.272    1.20   1.90366    31.3           
2         25.799    4.73   1.60311    60.6           
3       -465.856  (可変)                             
4*       -47.397    1.00   1.72903    54.0           
5*         8.516    3.31                             
6         13.283    1.86   1.94595    18.0           
7         18.476  (可変)                             
8(絞り)    ∞       1.57                             
9*         7.376    2.51   1.76802    49.2           
10         39.959    0.98   1.69895    30.1           
11          6.313    0.64                             
12*         9.801    2.42   1.55332    71.7           
13        -24.227  (可変)                             
14         38.297    0.90   1.85135    40.1           
15*        10.235  (可変)                             
16         30.604    2.57   1.60311    60.6           
17        -15.830  (可変)                             
18          ∞       1.10   1.51633    64.1           
19          ∞       1.00 
像面        ∞   
非球面データ
第4面
K  = 1.00148e+001  A 4= 7.06614e-005  A 6=-2.59450e-007 
A 8= 9.07909e-010  
第5面
K  =-8.10262e-001  A 4= 8.53208e-005  A 6= 7.20510e-007 
A 8=-1.98421e-009  
第9面
K =-2.40813e-001  A 4= 1.18874e-005  
第12面
K =-1.00748e+000  A 4=-9.28947e-005  
第15面
K  =-4.74090e-001  A 4= 2.32792e-004  A 6= 6.71061e-007 
A 8=-4.45210e-008  
各種データ
ズーム比      9.45 
広角     中間     望遠
焦点距離       6.27    31.96    59.23  
Fナンバー      2.88     4.54     5.23  
半画角（度）  36.57     8.27     4.49  
像高           4.65     4.65     4.65  
レンズ全長    72.20    84.05    97.40  
BF             6.42     6.62     3.34  
d 3            1.31    29.17    44.67  
d 7           32.96     5.63     3.42  
d13            4.75     9.65    10.10  
d15            3.07     9.28    12.19  
d17            4.69     4.90     1.61  
ズームレンズ群データ
群  始面    焦点距離  
1    1      85.89  
2    4     -13.31  
3    8      13.35  
4   14     -16.65  
5   16      17.67  
6   18       ∞